(57)【要約】【課題】緊急事態が発生したときに各チャンネルでどのような放送が行われたのかを簡単に知ることができるようにする。【解決手段】録画再生装置は、複数チャンネルのテレビ放送をそれぞれ受信し、受信したテレビ放送に含まれるテレビコンテンツをチャンネル毎に並行して記憶媒体に録画する録画制御部と、記憶媒体に録画されたテレビコンテンツを再生する再生制御部とを備え、録画制御部は、録画するテレビコンテンツに緊急速報が含まれる場合、緊急速報が放送された日時の情報をテレビコンテンツと併せて記憶媒体に保存し、再生制御部は、録画されたテレビコンテンツのうち緊急速報を含むテレビコンテンツの再生を選択する指示を受けた場合に、緊急速報が放送された日時を含む時間帯に他のチャンネルで放送され録画された他のテレビコンテンツに含まれる緊急速報が放送された日時のシーンを再生する。【選択図】図４
2015226125.tif 000002
【特許請求の範囲】
【請求項１】
指定された複数のチャンネルのテレビ放送をそれぞれ受信し、当該受信したテレビ放送に含まれるテレビコンテンツをチャンネル毎に並行して記憶媒体に録画する録画制御部と、
前記記憶媒体に録画されたテレビコンテンツを再生する再生制御部とを備え、
前記録画制御部は、前記録画する前記テレビコンテンツに所定の緊急事態を知らせるための緊急速報が含まれる場合、当該緊急速報が放送された日時の情報を前記テレビコンテンツと併せて前記記憶媒体に保存し、
前記再生制御部は、前記録画されたテレビコンテンツのうち前記緊急速報を含むテレビコンテンツの再生を選択する指示を受けた場合に、前記緊急速報が放送された日時を含む時間帯に他のチャンネルで放送されて前記記憶媒体に録画された他のテレビコンテンツに含まれる前記緊急速報が放送された日時のシーンを再生する、ことを特徴とする録画再生装置。
【請求項２】
前記再生制御部は、前記緊急速報を含むテレビコンテンツの再生を選択する指示を受けた場合に、前記他のテレビコンテンツを再生するか否かを外部へ問い合わせ、当該問い合わせに対応して前記他のテレビコンテンツの再生の指示を得た場合に、前記他のテレビコンテンツに含まれる前記緊急速報が放送された日時のシーンを再生することを特徴とする請求項１に記載の録画再生装置。
【請求項３】
前記再生制御部は、更に、複数のチャンネル毎の前記他のテレビコンテンツのうちいずれを選択して再生するかを問い合わせ、当該問い合わせに対応して選択された前記他のテレビコンテンツに含まれる前記緊急速報が放送された日時のシーンを再生することを特徴とする請求項２に記載の録画再生装置。
【請求項４】
前記再生制御部は、前記問い合わせに対応して前記他のテレビコンテンツの再生の指示を得た場合に、複数のチャンネル毎の前記他のテレビコンテンツそれぞれに含まれる前記緊急速報が放送された日時のシーンを連続して再生することを特徴とする請求項２に記載の録画再生装置。
【請求項５】
指定された複数のチャンネルのテレビ放送をそれぞれ受信し、当該受信したテレビ放送に含まれるテレビコンテンツをチャンネル毎に並行して記憶媒体に録画する録画制御部と、
前記記憶媒体に録画されたテレビコンテンツを再生する再生制御部とを備え、
前記録画制御部は、前記録画する前記テレビコンテンツに所定の緊急事態を知らせるための緊急速報が含まれる場合、当該緊急速報が放送された日時の情報を前記テレビコンテンツと併せて前記記憶媒体に保存し、
前記再生制御部は、前記録画されたコンテンツの再生中に当該コンテンツに含まれる前記緊急速報のシーンを再生した場合に、前記緊急速報が放送された日時を含む時間帯に他のチャンネルで放送されて前記記憶媒体に録画された他のテレビコンテンツに含まれる前記緊急速報が放送された日時のシーンを再生する、ことを特徴とする録画再生装置。
【請求項６】
前記再生制御部は、前記録画されたコンテンツの再生中に当該コンテンツに含まれる前記緊急速報のシーンを再生した場合に、前記他のテレビコンテンツを再生するか否かを外部へ問い合わせ、当該問い合わせに対応して前記他のテレビコンテンツの再生の指示を得た場合に、前記他のテレビコンテンツに含まれる前記緊急速報が放送された日時のシーンを再生することを特徴とする請求項５に記載の録画再生装置。
【請求項７】
前記再生制御部は、更に、複数のチャンネル毎の前記他のテレビコンテンツのうちいずれを選択して再生するかを問い合わせ、当該問い合わせに対応して選択された前記他のテレビコンテンツに含まれる前記緊急速報が放送された日時のシーンを再生することを特徴とする請求項６に記載の録画再生装置。
【請求項８】
前記再生制御部は、前記録画されたコンテンツの再生中に当該コンテンツに含まれる前記緊急速報のシーンを再生した場合に、複数のチャンネル毎の前記他のテレビコンテンツそれぞれに含まれる前記緊急速報が放送された日時のシーンを連続して再生することを特徴とする請求項５または請求項６に記載の録画再生装置。
【請求項９】
前記再生制御部は、前記緊急速報が放送された日時を含む時間帯に異なるチャンネルで放送されて前記記憶媒体に録画された複数の前記テレビコンテンツに含まれる前記緊急速報が放送された日時の各シーンを、所定の表示画面内の複数の表示領域で同時に再生することを特徴とする請求項１〜請求項８のいずれかに記載の録画再生装置。
【請求項１０】
前記緊急速報は、緊急地震速報であることを特徴とする請求項１〜請求項９のいずれかに記載の録画再生装置。
【発明の詳細な説明】
【技術分野】
【０００１】
本発明は、録画再生装置に関する。
【背景技術】
【０００２】
所定の緊急事態が発生したとき、放送局は、当該緊急事態が発生した旨の緊急速報を、そのとき放送中のテレビコンテンツ（あるいは、テレビ番組、テレビプログラム等とも表現する。）とともに放送することがある。
【０００３】
なお、緊急放送番組を放送可能な所定のデジタル放送方式に準じたデジタルストリーム信号を記録する情報記録媒体において、前記緊急放送番組を記録するデータ領域と、前記緊急放送番組の管理情報を記録する管理領域とを具備する構成が知られている（特許文献１参照）。
【先行技術文献】
【特許文献】
【０００４】
【特許文献１】特開２００５‐１０１９９６号公報
【発明の概要】
【発明が解決しようとする課題】
【０００５】
ユーザは、前記緊急事態が発生したときに各放送局（各チャンネル）でどのような放送（報道）が行われたのかを後から知りたいと望むことがある。前記文献は、このようなユーザの要望に応えるものではなかった。
【０００６】
本発明は少なくとも上述の課題を解決するためになされたものであり、緊急事態が発生したときに各チャンネルでどのような放送が行われたのかを簡単に知ることが可能な録画再生装置を提供する。
【課題を解決するための手段】
【０００７】
本発明の態様の一つは、指定された複数のチャンネルのテレビ放送をそれぞれ受信し、当該受信したテレビ放送に含まれるテレビコンテンツをチャンネル毎に並行して記憶媒体に録画する録画制御部と、前記記憶媒体に録画されたテレビコンテンツを再生する再生制御部とを備え、前記録画制御部は、前記録画する前記テレビコンテンツに所定の緊急事態を知らせるための緊急速報が含まれる場合、当該緊急速報が放送された日時の情報を前記テレビコンテンツと併せて前記記憶媒体に保存し、前記再生制御部は、前記録画されたテレビコンテンツのうち前記緊急速報を含むテレビコンテンツの再生を選択する指示を受けた場合に、前記緊急速報が放送された日時を含む時間帯に他のチャンネルで放送されて前記記憶媒体に録画された他のテレビコンテンツに含まれる前記緊急速報が放送された日時のシーンを再生する。
【０００８】
本態様によれば、ユーザは、前記緊急速報を含むテレビコンテンツを再生しようとする際に、当該緊急速報が放送された日時を含む時間帯に他のチャンネルで放送されて録画された他のテレビコンテンツに含まれる前記緊急速報が放送された日時のシーンも確認することができる。つまり、緊急事態が発生したときに各チャンネルでどのような放送が行われたのかを簡単に知ることができる。
【０００９】
また、本発明の態様の一つは、前記再生制御部は、前記録画されたコンテンツの再生中に当該コンテンツに含まれる前記緊急速報のシーンを再生した場合に、前記緊急速報が放送された日時を含む時間帯に他のチャンネルで放送されて前記記憶媒体に録画された他のテレビコンテンツに含まれる前記緊急速報が放送された日時のシーンを再生する。
【００１０】
本態様によれば、コンテンツの再生中（視聴中）に、当該コンテンツに含まれる前記緊急速報のシーンが再生された場合、ユーザは、当該緊急速報が放送された日時を含む時間帯に他のチャンネルで放送されて録画された他のテレビコンテンツに含まれる前記緊急速報が放送された日時のシーンも確認することができる。つまり、緊急事態が発生したときに各チャンネルでどのような放送が行われたのかを簡単に知ることができる。
【００１１】
本発明の技術的思想は、録画再生装置以外の態様によって実現されてもよい。例えば、録画再生装置が実行する処理を方法の発明として捉えたり、当該処理を録画再生装置（録画再生装置が搭載するコンピューター）に実行させるためのプログラムや、当該プログラムを記憶したコンピューター読取可能な記憶媒体を、それぞれ発明として捉えたりすることができる。
【図面の簡単な説明】
【００１２】
【図１】録画再生装置の構成を例示するブロック図。
【図２】録画再生装置が実現する機能の一部を例示する図。
【図３】録画再生装置が実行する緊急速報取得処理のフローチャート。
【図４】録画再生装置が実行する再生制御処理（第１実施例）のフローチャート。
【図５】操作画面を例示する図。
【図６】問い合せのメッセージを含む操作画面を例示する図。
【図７】コンテンツ選択画面を例示する図。
【図８】録画再生装置が実行する再生制御処理（第２実施例）のフローチャート。
【図９】録画再生装置が実行する再生制御処理（第３実施例）のフローチャート。
【図１０】録画再生装置が実行する再生制御処理（第４実施例）のフローチャート。
【図１１】異なるチャンネルのシーンの同時再生を例示する図
【発明を実施するための形態】
【００１３】
本発明の実施形態として、前記再生制御部は、前記緊急速報を含むテレビコンテンツの再生を選択する指示を受けた場合に、前記他のテレビコンテンツを再生するか否かを外部へ問い合わせ、当該問い合わせに対応して前記他のテレビコンテンツの再生の指示を得た場合に、前記他のテレビコンテンツに含まれる前記緊急速報が放送された日時のシーンを再生するとしてもよい。
また、本発明の実施形態として、前記再生制御部は、前記問い合わせに対応して前記他のテレビコンテンツの再生の指示を得た場合に、複数のチャンネル毎の前記他のテレビコンテンツそれぞれに含まれる前記緊急速報が放送された日時のシーンを連続して再生するとしてもよい。
【００１４】
また、本発明の実施形態として、前記再生制御部は、前記録画されたコンテンツの再生中に当該コンテンツに含まれる前記緊急速報のシーンを再生した場合に、前記他のテレビコンテンツを再生するか否かを外部へ問い合わせ、当該問い合わせに対応して前記他のテレビコンテンツの再生の指示を得た場合に、前記他のテレビコンテンツに含まれる前記緊急速報が放送された日時のシーンを再生するとしてもよい。
また、本発明の実施形態として、前記再生制御部は、更に、複数のチャンネル毎の前記他のテレビコンテンツのうちいずれを選択して再生するかを問い合わせ、当該問い合わせに対応して選択された前記他のテレビコンテンツに含まれる前記緊急速報が放送された日時のシーンを再生するとしてもよい。
また、本発明の実施形態として、前記再生制御部は、前記録画されたコンテンツの再生中に当該コンテンツに含まれる前記緊急速報のシーンを再生した場合に、複数のチャンネル毎の前記他のテレビコンテンツそれぞれに含まれる前記緊急速報が放送された日時のシーンを連続して再生するとしてもよい。
【００１５】
また、本発明の実施形態として、前記再生制御部は、前記緊急速報が放送された日時を含む時間帯に異なるチャンネルで放送されて前記記憶媒体に録画された複数の前記テレビコンテンツに含まれる前記緊急速報が放送された日時の各シーンを、所定の表示画面内の複数の表示領域で同時に再生するとしてもよい。
また、本発明の実施形態として、前記緊急速報は、緊急地震速報であるとしてもよい。
【００１６】
以下、図面を参照しながら本発明の実施形態を更に説明する。
（第１実施例）
録画再生装置の分野では、複数のチャンネルを指定し、当該指定した複数のチャンネルで受信されるテレビコンテンツ（以下、単にコンテンツ）を並行して録画し続ける機能が知られている。当該機能は、丸録、全録、タイムシフト機能、ループ録画、など各種の呼び名で呼ばれている。
【００１７】
図１は、実施形態における録画再生装置１０をブロック図により示している。録画再生装置１０は、ループ録画を実行可能な製品であり、放送受信機、等と呼んでもよい。
録画再生装置１０は、複数のチューナ（デジタルチューナ）１１を備えている。具体的には、地上デジタル放送用のチューナ（地デジチューナ）１１ａ１〜１１ａ３、ＢＳデジタル放送用のチューナ（ＢＳチューナ１１ｂ１，１１ｂ２）、ＣＳ放送用のチューナ（ＣＳチューナ）１１ｃ１，１１ｃ２を備えている。図１の例では、地上デジタル放送であれば同時に３つのテレビ放送を受信でき、ＢＳデジタル放送であれば同時に２つのテレビ放送を受信でき、ＣＳ放送であれば同時に２つのテレビ放送を受信できる。各チューナ１１で受信して復調されエラー処理まで行われた復調信号はそれぞれ個別にデマルチプレクサ１２に入力されている。図示していないがチューナ１１は復調器を含むものとする。むろん、チューナ１１の数は図１に示した数より多くてもよい。
【００１８】
デマルチプレクサ１２は多重信号の分離を行うが、さらにＣＰＵ１２ｂ、ＲＯＭ１２ａ、ＲＡＭ１２ｃ、および、その他のメモリー１２ｄ等を内蔵して所定のプログラム（ファームウェア等）を実行し、各部を制御してテレビ放送の受信、録画および再生を行なうことが可能である。
【００１９】
マルチプレクサ１３は、録画時、受信したテレビ放送からコンテンツの録画に必要な情報（コンテンツを構成する映像データおよび音声データ）を抽出して再多重し、記憶媒体としてのハードディスクドライブ（ＨＤＤ）１４に保存させる。再生時は、デマルチプレクサ１２がＨＤＤ１４から直にデータを読み出す。ＨＤＤ１４には、デジタル放送のコンテンツに加え、後述する緊急速報日時データ１４Ａ等も保存される。
【００２０】
チューナ１１が受信したテレビ放送のトランスポートストリーム（以下、ＴＳ）から抽出された或いはＨＤＤ１４から読み出されたデータは、デコーダ１５に入力され、映像データと音声データとに分離され、デコードされる。デコードされた映像データはドライバ１６に入力されてディスプレイパネル１７で映像として表示される。また、デコードされた音声データはアンプ１８で増幅されてスピーカ１９から音声として出力される。
【００２１】
録画再生装置１０に対する操作指示は、操作パネル２１を介してデマルチプレクサ１２が取得し、各制御に反映させる。また、リモートコントローラー（リモコン）２２を介する操作指示も同様に取得可能となっている。録画再生装置１０は、例えば、ディスプレイパネル１７やスピーカ１９を一体的に含む製品であればテレビに該当するし、外部のディスプレイパネル１７やスピーカ１９と有線あるいは無線で接続する製品であればレコーダに該当する。
【００２２】
図２は、録画再生装置１０が備える機能の一部をブロック図により例示している。録画再生装置１０は、その機能の一部として、指定された複数のチャンネルのテレビ放送をそれぞれ受信し、受信したテレビ放送に含まれるコンテンツをチャンネル毎に並行して記憶媒体（ＨＤＤ１４）に録画する（ループ録画する）録画制御部３０と、記憶媒体（ＨＤＤ１４）に録画されたコンテンツを再生する再生制御部４０と、を少なくとも備える。これら各機能（録画制御部３０、再生制御部４０）は、例えば、プログラムを実行するＣＰＵ１２ｂを主としつつ、その他のＲＯＭ１２ａ、ＲＡＭ１２ｃ、メモリー１２ｄ（デマルチプレクサ１２）、マルチプレクサ１３およびＨＤＤ１４といった構成の全てあるいは一部が協働することによって実現される。
【００２３】
図３は、録画再生装置１０が実行する緊急速報取得処理をフローチャートにより示している。当該処理は、ループ録画の実行中に併せて実行する処理である。つまり、録画制御部３０は、ユーザが予め操作パネル２１やリモコン２２（以下、リモコン２２等）を介して指定した複数のチャンネルのテレビ放送を複数のチューナ１１でそれぞれ受信させ、当該受信させたテレビ放送に含まれるコンテンツ（コンテンツを構成する映像データおよび音声データ）をチャンネル毎に並行してＨＤＤ１４に保存する。このようなループ録画は、ＨＤＤ１４におけるコンテンツを録画可能な容量にもよるが、例えば数日間継続して（あるいは録画済みの古いコンテンツを消去しながら常時）実行される。 
【００２４】
ステップＳ１００では、録画制御部３０は、テレビ放送の解析を行う。ここで言う解析とは、例えば、ループ録画の際に行う、各チューナ１１が受信したテレビ放送のＴＳに含まれるパケット（コンテンツを構成する映像データや音声データ等のパケット）を対象とした解析である。パケットのヘッダには、パケットの属性等を示すパケットＩＤ（ＰＩＤ）が格納されている。録画制御部３０は、例えば、このような各パケットのＰＩＤを参照することにより、緊急地震速報に該当するデータ（パケット）の有無を判断する。
【００２５】
緊急地震速報とは、本発明が想定する「所定の緊急事態を知らせるための緊急速報」の一例である。緊急地震速報は、日本の気象庁によれば、地震の発生直後に各地での揺れの到達時刻や震度を予想（自動計算）し、即座にテレビ放送される情報である。緊急地震速報に該当するデータとは、緊急地震速報（各地での揺れの到達時刻や震度の予想等）の内容としての画像データや音声データである。例えば、緊急地震速報に該当するパケットには、予め規定された、緊急地震速報を識別するためのＰＩＤが含まれている。録画制御部３０は、テレビ放送のＴＳに含まれる各パケットのＰＩＤを参照した結果、上述したような緊急地震速報のパケットに付与されるＰＩＤをヘッダに格納したパケットが有る場合に、緊急地震速報に該当するデータが有ると判定できる。ループ録画中には、このような緊急地震速報に該当するデータも、そのときループ録画の対象とされている放送中のコンテンツの一部として（情報の内容としてはコンテンツとは無関係であるが、情報処理としてはコンテンツの一部として）ＨＤＤ１４に録画される。
【００２６】
ステップＳ１１０では、ステップＳ１００における解析（判定）の結果に応じて処理を分岐する。つまり、録画制御部３０は、緊急地震速報に該当するデータが有ると判定した場合はステップＳ１２０へ進み、緊急地震速報に該当するデータが有ると判定しなかった場合はステップＳ１００へ戻り前記解析を続ける。
【００２７】
ステップＳ１２０では、録画制御部３０は、緊急地震速報が放送された日時の情報（緊急速報日時データ１４Ａ）を、当該緊急地震速報に該当するデータを一部に含むコンテンツと併せて（コンテンツに紐付けて）ＨＤＤ１４に保存する。緊急地震速報が放送された日時とは、例えば、前記緊急地震速報のパケットを受信した日時（例えば、録画制御部３０が、前記解析により緊急地震速報のパケットの存在を認識した時点での日時）等である。録画制御部３０は、ステップＳ１２０の後はステップＳ１００へ戻る。
【００２８】
図４は、録画再生装置１０が実行する再生制御処理をフローチャートにより示している。
ステップＳ２００では、再生制御部４０は、再生するコンテンツの選択を受け付ける。つまりユーザは、リモコン２２等を操作することにより、ＨＤＤ１４に録画済みの複数のコンテンツの中から再生したい（視聴したい）コンテンツを選択し、再生制御部４０は、当該選択を受け付ける。
【００２９】
図５は、ステップＳ２００でコンテンツの選択を受け付ける際に、再生制御部４０がディスプレイパネル１７に表示させる操作画面５０の一例である。操作画面５０には、現在録画済みのコンテンツのタイトルが複数表示され、ユーザは、リモコン２２等を操作して操作画面５０内のカーソル５０ａを動かすことにより、所望のコンテンツを選択することができる。再生制御部４０は、操作画面５０の表示に際し、緊急地震速報を含むコンテンツ（緊急地震速報を含んだ状態で録画されたコンテンツ。以下、特定コンテンツと呼ぶ。）のタイトルには、図５に例示するように、特定コンテンツであることが一目で判るような特定表示５０ｂ（例えば、「緊」と書かれたマーク）を加える。なお、前記ループ録画の際、録画制御部３０は、例えば、緊急地震速報に該当するデータを含めて録画したコンテンツについては、特定コンテンツであることを示すフラグを付してＨＤＤ１４に保存する。かかる構成とすれば、このようなフラグの有無に応じて、再生制御部４０は、操作画面５０の表示に際してどのタイトルに特定表示５０ｂを加えるべきか容易に判断できる。
【００３０】
ステップＳ２１０では、再生制御部４０は、ステップＳ２００で選択されたコンテンツが、特定コンテンツであるか否か判定し、特定コンテンツであれば（つまり、緊急地震速報を含むコンテンツの再生を選択する指示を受けた場合に）、ステップＳ２２０へ進み、特定コンテンツでなければステップＳ２６０へ進む。
【００３１】
ステップＳ２２０では、再生制御部４０は、ステップＳ２００で選択されたコンテンツ（特定コンテンツ）が含む緊急地震速報が放送された日時を含む時間帯に他のチャンネルで放送されて録画された他のコンテンツ、を再生するか否か外部へ問い合わせる。
【００３２】
図６は、ステップＳ２２０における問い合わせのためのメッセージ５０ｃを表示した（オンスクリーンディスプレイ（ＯＳＤ）表示した）操作画面５０の一例である。メッセージ５０ｃは、図５に示した特定表示５０ｂが付されたタイトル（特定コンテンツに該当するタイトル）が選択された結果、表示されたものである。メッセージ５０ｃには、例えば、「このタイトルは緊急地震速報を含んでいます。同じ時間帯の別のチャンネルのタイトルも再生しますか？」という文（問い合わせ）とともに、「はい」、「いいえ」の選択肢が含まれる。ユーザは、リモコン２２等を操作することにより、「はい」、「いいえ」のいずれかを選択する。
【００３３】
ここで、具体的な場面を想定する。
例えば、前記ループ録画により、６つのチャンネル（例えば、チャンネル（ｃｈ）Ａ，Ｂ，Ｃ，Ｄ，Ｅ，Ｆ）のコンテンツが継続的に録画され、ステップＳ２００で選択された特定コンテンツが、２０１４年４月１８日の１５時００分〜１６時００分にチャンネルＡで放送されたコンテンツであるとする。また、ステップＳ２００で選択された特定コンテンツに紐付けられた緊急速報日時データ１４Ａが示す緊急地震速報の放送日時は、２０１４年４月１８日の１５時１５分であるとする。そのため、当該特定コンテンツは、開始から１５分経過したシーンが緊急地震速報のシーンとなっている。また、「特定コンテンツが含む緊急地震速報が放送された日時を含む時間帯に他のチャンネルで放送されて録画された他のコンテンツ（以下、他のコンテンツ）」とは、チャンネルＢ，Ｃ，Ｄ，Ｅ，Ｆのそれぞれで放送され録画された各コンテンツであって放送時間帯に２０１４年４月１８日の１５時１５分を含むコンテンツである。
【００３４】
ステップＳ２３０では、再生制御部４０は、ステップＳ２２０による問い合わせへの返答に従い処理を分岐する。つまり、当該問い合わせに対し、他のコンテンツの再生の指示を得た場合（図６のメッセージ５０ｃにおける「はい」が選択された場合）はステップＳ２４０へ進み、他のコンテンツの再生の指示を得なかった場合（図６のメッセージ５０ｃにおける「いいえ」が選択された場合）はステップＳ２６０へ進む。
【００３５】
ステップＳ２４０では、再生制御部４０は、コンテンツ選択画面５１をディスプレイパネル１７に表示させ、コンテンツ選択画面５１を通じて、いずれのコンテンツを再生するかの選択を受け付ける。
図７は、コンテンツ選択画面５１の一例である。図７では、チャンネルＢ，Ｃ，Ｄ，Ｅ，Ｆのそれぞれで放送され録画された、放送時間帯に２０１４年４月１８日の１５時１５分を含むコンテンツ（他のコンテンツ）を少なくとも列挙している。ユーザは、リモコン２２等を操作してカーソル５１ａを移動させることにより、コンテンツ選択画面５１に表示されたコンテンツを任意に一つ以上選択することができる。このようなコンテンツ選択画面５１を表示する処理は、「複数のチャンネル毎の他のコンテンツのうちいずれを選択して再生するかの問い合わせ」に該当する。
【００３６】
再生制御部４０は、コンテンツ選択画面５１を、前記保存された緊急速報日時データ１４Ａに基づいて生成し表示する。つまり、ループ録画によりＨＤＤ１４に録画されている複数のコンテンツの中から、ステップＳ２００で選択された特定コンテンツ以外のコンテンツであって、ステップＳ２００で選択された特定コンテンツに紐付けられた緊急速報日時データ１４Ａが示す日時を放送時間帯に含むコンテンツをすべて抽出し、当該抽出したコンテンツのタイトルを列挙したリスト（コンテンツ選択画面５１）を生成する。なお、コンテンツ選択画面５１には、ステップＳ２００で選択された特定コンテンツのタイトルも含まれていてもよい。
【００３７】
ステップＳ２５０では、再生制御部４０は、ステップＳ２４０の問い合わせ（コンテンツ選択画面５１の表示）に対応して選択された他のコンテンツに含まれる、緊急地震速報が放送された日時のシーンをＨＤＤ１４から読み出して再生する。一例として、チャンネルＣで２０１４年４月１８日の１４時３０分〜１５時３０分に放送されたコンテンツが、ステップＳ２４０の問い合わせに応じて選択された他のコンテンツであるとする。この場合、再生制御部４０は、当該他のコンテンツのうち、ステップＳ２００で選択された特定コンテンツに紐付けられた緊急速報日時データ１４Ａが示す日時（２０１４年４月１８日の１５時１５分）を含むシーン（例えば、３分間程度のシーン）に該当する映像データおよび音声データを抽出して再生する。つまりこの場合、チャンネルＣで２０１４年４月１８日の１４時３０分〜１５時３０分に放送された当該他のコンテンツのうち、１５時１５分〜１５時１８分の一連のシーンが再生される。
【００３８】
本実施例では、ステップＳ２５０において、ステップＳ２００で選択された特定コンテンツを再生することを排除しない。つまりステップＳ２５０では、まずステップＳ２００で選択された特定コンテンツを再生し、その後、ステップＳ２４０の問い合わせに対応して選択された他のコンテンツを再生すればよい。具体的には、再生制御部４０は、ステップＳ２００で選択された特定コンテンツのうち紐付けられた緊急速報日時データ１４Ａが示す日時（２０１４年４月１８日の１５時１５分）を含むシーン（例えば、３分間程度のシーン）を再生した後、ステップＳ２４０の問い合わせに対応して選択された前記他のコンテンツのうち当該緊急速報日時データ１４Ａが示す日時（２０１４年４月１８日の１５時１５分）を含むシーン（例えば、３分間程度のシーン）を再生する。
【００３９】
ステップＳ２６０では、再生制御部４０は、ステップＳ２００で選択されたコンテンツ（特定コンテンツに該当しないコンテンツ、または、特定コンテンツ）を単に再生する（コンテンツの最初のシーンから通常再生する）。ただし、ステップＳ２３０からステップＳ２６０へ進んだ場合は、再生制御部４０は、ステップＳ２００で選択された特定コンテンツを通常再生するのではなく、紐付けられた緊急速報日時データ１４Ａが示す日時を含むシーン（例えば、３分間程度のシーン）を再生するとしてもよい。
【００４０】
このように本実施例によれば、録画されたコンテンツの中から緊急地震速報を含むコンテンツを選択した際に、当該緊急地震速報が放送された日時を含む時間帯に他のチャンネルで放送されて録画された他のコンテンツに含まれる当該緊急地震速報が放送された日時のシーンを確認することができる。従って、ユーザは、所定の緊急事態（地震）が発生したときに各チャンネルでどのような放送が行われたのか（各チャンネルで同じように緊急地震速報が放送されたのか、あるいは、あるチャンネルでは緊急地震速報が放送されなかったのか、等）を簡単に知ることができる。
【００４１】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、主に、既に説明した事項と異なる点を主に説明する。
【００４２】
（第２実施例）
図８は、第２実施例において録画再生装置１０が実行する再生制御処理をフローチャートにより示している。図８は、図４（第１実施例）と比較したとき、ステップＳ２４０，Ｓ２５０の替わりにステップＳ２５２が実行される点で異なる。
ステップＳ２５２では、再生制御部４０は、複数のチャンネル毎の前記他のコンテンツそれぞれに含まれる前記緊急速報が放送された日時のシーンを順番に連続再生する。
【００４３】
第１実施例と同じ具体的場面を想定して説明すると、ステップＳ２００で選択された特定コンテンツは、２０１４年４月１８日の１５時００分〜１６時００分にチャンネルＡで放送されたコンテンツであり、当該特定コンテンツに紐付けられた緊急速報日時データ１４Ａが示す緊急地震速報の放送日時は、２０１４年４月１８日の１５時１５分である。そのため、ステップＳ２５２では、再生制御部４０は、他のチャンネルＢ，Ｃ，Ｄ，Ｅ，Ｆで２０１４年４月１８日の１５時１５分を含む時間帯に放送され録画された各コンテンツ（図７に例示したｃｈＢ〜Ｆの各コンテンツ）における、当該緊急速報日時データ１４Ａが示す日時（２０１４年４月１８日の１５時１５分）を含むシーン（例えば、１コンテンツあたり３分間程度のシーン）を連続して再生する。
【００４４】
第２実施例では、ステップＳ２５２において、ステップＳ２００で選択された特定コンテンツを再生することを排除しない。つまりステップＳ２５２では、まずステップＳ２００で選択された特定コンテンツを再生し、その後、他のコンテンツを再生すればよい。具体的には、再生制御部４０は、ステップＳ２００で選択された特定コンテンツのうち紐付けられた緊急速報日時データ１４Ａが示す日時（２０１４年４月１８日の１５時１５分）を含むシーン（例えば、３分間程度のシーン）を再生した後、各他のコンテンツにおける当該緊急速報日時データ１４Ａが示す日時（２０１４年４月１８日の１５時１５分）を含む各シーン（例えば、チャンネルＢで放送された前記他のコンテンツにおける３分間程度のシーン、チャンネルＣで放送された前記他のコンテンツにおける３分間程度のシーン、チャンネルＤで放送された前記他のコンテンツにおける３分間程度のシーン、チャンネルＥで放送された前記他のコンテンツにおける３分間程度のシーン、およびチャンネルＦで放送された前記他のコンテンツにおける３分間程度のシーン）を連続して再生する。
【００４５】
このように第２実施例によれば、録画されたコンテンツの中から緊急地震速報を含むコンテンツを選択した際に、当該緊急地震速報が放送された日時を含む時間帯に他のチャンネルで放送されて録画された他のコンテンツに含まれる当該緊急地震速報が放送された日時のシーンを各チャンネル分、連続して確認することができる。第２実施例によれば、再生させる他のコンテンツを選択する手間が不要であるため、ユーザの負担が非常に少ない。
【００４６】
（第３実施例）
図９は、第３実施例において録画再生装置１０が実行する再生制御処理をフローチャートにより示している。ステップＳ３００は、図４，８のステップＳ２００と同じである。
ステップＳ３１０では、再生制御部４０は、ステップＳ３００で選択されたコンテンツをＨＤＤ１４から読み出して再生を開始する。ここでいう再生は、通常再生である。
【００４７】
ステップＳ３２０では、再生制御部４０は、ステップＳ３１０でコンテンツの再生開始後、当該コンテンツに含まれる緊急地震速報のシーンを再生したか否か判定する。再生制御部４０は、ステップＳ３００で選択されたコンテンツが緊急地震速報を含むコンテンツ（特定コンテンツ）であるか否かは、前記フラグの有無や緊急速報日時データ１４Ａの紐付けの有無により判定できる。また、ステップＳ３００で選択されたコンテンツが特定コンテンツであれば、紐付けされている緊急速報日時データ１４Ａを参照することで、コンテンツ内で緊急地震速報のシーンが再生されるタイミングも認識できる。
【００４８】
仮に、ステップＳ３００で選択されたコンテンツが、２０１４年４月１８日の１５時００分〜１６時００分にチャンネルＡで放送されたコンテンツ（特定コンテンツ）であり、当該特定コンテンツに紐付けられた緊急速報日時データ１４Ａが示す緊急地震速報の放送日時が、２０１４年４月１８日の１５時１５分であるとする。この場合、再生制御部４０は、ステップＳ３１０でコンテンツを再生開始してから１５分後（通常再生のスピードでの１５分後）に対応するシーンが緊急地震速報のシーンであると認識できる。そこで、再生制御部４０は、ステップＳ３２０では、ステップＳ３００で選択されたコンテンツにおける当該緊急地震速報のシーンを含む、例えば３分間程度のシーン（２０１４年４月１８日の１５時１５分〜１５時１８分までの一連のシーン）の再生を終えたタイミングで、当該コンテンツに含まれる緊急地震速報のシーンを再生したと判定し、ステップＳ３３０へ進む。
【００４９】
一方、当該ステップＳ３２０で、コンテンツに含まれる緊急地震速報のシーンを再生したと判定しない場合は、再生制御部４０はステップＳ３７０へ進む。ステップＳ３７０では、再生制御部４０は、コンテンツの再生を終了するか否か判定し（コンテンツの最終シーンを再生したか否か判定し）、終了であれば当該フローチャートを終え、終了でなければコンテンツの再生を継続しつつステップＳ３２０の判定を繰り返す。ステップＳ３７０後のステップＳ３２０では、直近のステップＳ３７０の判定以後に緊急地震速報のシーンを再生した場合に“Ｙｅｓ”の判定を行う。
【００５０】
ステップＳ３３０に進んでからの処理（ステップＳ３３０，Ｓ３４０，Ｓ３５０，Ｓ３６０）は、概略的には、図４（第１実施例）のステップＳ２２０，Ｓ２３０，Ｓ２４０，Ｓ２５０と同じである。つまりステップＳ３３０では、再生制御部４０は、ステップＳ３００で選択されたコンテンツ（特定コンテンツ）が含む緊急地震速報が放送された日時を含む時間帯に他のチャンネルで放送されて録画された他のコンテンツ、を再生するか否か外部へ問い合わせる。再生制御部４０は、例えば、ステップＳ３００で選択されたコンテンツの再生を一時停止させ、ディスプレイパネル１７の画面に「緊急地震速報が放送された時間の他のチャンネルのタイトルも再生しますか？」等といったメッセージをＯＳＤ表示させることで、このような問い合せを行う。
【００５１】
ステップＳ３４０では、再生制御部４０は、ステップＳ３３０による問い合わせへの返答に従い処理を分岐する。つまり、当該問い合わせに対し、ユーザのリモコン２２等の操作により、他のコンテンツの再生の指示を得た場合はステップＳ３５０へ進み、他のコンテンツの再生の指示を得なかった場合はステップＳ３７０へ進む。
【００５２】
ステップＳ３５０では、再生制御部４０は、ステップＳ２４０と同様に、コンテンツ選択画面５１をディスプレイパネル１７に表示させ、コンテンツ選択画面５１を通じて、複数のチャンネル毎の他のコンテンツのうちいずれのコンテンツを再生するかの選択を受け付ける。ただし、第３実施例で表示するコンテンツ選択画面５１には、ステップＳ３００で選択された特定コンテンツのタイトルは含まないようにする。これは、ステップＳ３００で選択された特定コンテンツに含まれる緊急地震速報のシーンは再生済みだからである。
【００５３】
ステップＳ３６０では、再生制御部４０は、ステップＳ２５０と同様に、コンテンツ選択画面５１から選択された他のコンテンツに含まれる、緊急地震速報が放送された日時のシーン（ステップＳ３００で選択された特定コンテンツに紐付けられた緊急速報日時データ１４Ａが示す日時を含む、例えば３分間程度のシーン）をＨＤＤ１４から読み出して再生する。なお、ステップＳ３６０では、ステップＳ２００で選択された特定コンテンツに含まれる緊急地震速報のシーンを再生し得るステップＳ２５０（第１実施例）と異なり、ステップＳ３００で選択された特定コンテンツに含まれる緊急地震速報のシーンは（再生済みであるため）再生しない。
【００５４】
このように第３実施例によれば、コンテンツの再生中（視聴中）に、当該コンテンツに含まれる緊急地震速報のシーンが再生された場合、当該緊急地震速報が放送された日時を含む時間帯に他のチャンネルで放送されて録画された他のコンテンツに含まれる当該緊急地震速報が放送された日時のシーンも併せて確認することができる。
【００５５】
（第４実施例）
図１０は、第４実施例において録画再生装置１０が実行する再生制御処理をフローチャートにより示している。図１０は、図９（第３実施例）と比較したとき、ステップＳ３５０，Ｓ３６０の替わりにステップＳ３５２が実行される点で異なる。また、ステップＳ３５２は、図８のステップＳ２５２（第２実施例）と基本的に同じである。つまり、ステップＳ３５２では、再生制御部４０は、複数のチャンネル毎の前記他のコンテンツそれぞれに含まれる前記緊急速報が放送された日時のシーンを順番に連続再生する。
【００５６】
仮に、ステップＳ３００で選択された特定コンテンツは、２０１４年４月１８日の１５時００分〜１６時００分にチャンネルＡで放送されたコンテンツであり、当該特定コンテンツに紐づけられた緊急速報日時データ１４Ａが示す緊急地震速報の放送日時は、２０１４年４月１８日の１５時１５分であるとする。この場合、ステップＳ３５２では、再生制御部４０は、他のチャンネルＢ，Ｃ，Ｄ，Ｅ，Ｆで２０１４年４月１８日の１５時１５分を含む時間帯に放送され録画された各コンテンツ（図７に例示したｃｈＢ〜Ｆの各コンテンツ）における、当該緊急速報日時データ１４Ａが示す日時（２０１４年４月１８日の１５時１５分）を含むシーン（例えば、１コンテンツあたり３分間程度のシーン）を連続して再生する。なお、ステップＳ３５２では、ステップＳ２００で選択された特定コンテンツに含まれる緊急地震速報のシーンを再生し得るステップＳ２５２（第２実施例）と異なり、ステップＳ３００で選択された特定コンテンツに含まれる緊急地震速報のシーンは（再生済みであるため）再生しない。
【００５７】
このように第４実施例によれば、コンテンツの再生中（視聴中）に、当該コンテンツに含まれる緊急地震速報のシーンが再生された場合、当該緊急地震速報が放送された日時を含む時間帯に他のチャンネルで放送されて録画された他のコンテンツに含まれる当該緊急地震速報が放送された日時のシーンを各チャンネル分、連続して確認することができる。第４実施例によれば、再生させる他のコンテンツを選択する手間が不要であるため、ユーザの負担が非常に少ない。
【００５８】
さらに第４実施例では、図１０において鎖線で囲った処理（ステップＳ３３０，Ｓ３４０）を省いても良い。つまり、再生制御部４０は、ステップＳ３００で選択されたコンテンツに含まれる緊急地震速報のシーンを再生したと判定した後は（ステップＳ３２０において“Ｙｅｓ”）、ユーザへの問い合せ（ステップＳ３３０）および当該問い合せに対するユーザの返答確認（ステップＳ３４０）をすることなく、即座にステップＳ３５２を実行してもよい。かかる構成によれば、コンテンツの再生中（視聴中）に、当該コンテンツに含まれる緊急地震速報のシーンが再生された場合、ユーザは、何らの操作をすることなく、当該緊急地震速報が放送された日時を含む時間帯に他のチャンネルで放送されて録画された他のコンテンツに含まれる当該緊急地震速報が放送された日時のシーンを各チャンネル分、連続して確認することができる。
【００５９】
（第５実施例）
再生制御部４０は、緊急地震速報が放送された日時を含む時間帯に異なるチャンネルで放送されてＨＤＤ１４に録画された複数のコンテンツに含まれる、当該緊急地震速報が放送された日時の各シーン（例えば、それぞれ３分程度のシーン）を、ディスプレイパネル１７の画面内の複数の表示領域で同時に再生するとしてもよい。第５実施例は、第１〜第４実施例の全て（ステップＳ２５０，Ｓ２５２，Ｓ３６０，Ｓ３５２）に適用できる。ここでいう複数の表示領域による同時再生とは、ディスプレイパネル１７の画面を２分割した場合の各表示領域での同時再生や、いわゆるピクチャーインピクチャー（ＰｉｎＰ）機能によってディスプレイパネル１７の画面内に小さなウィンドウ（子画面）を重ねて行う同時再生等が想定される。むろん、表示領域の数は２より多くてもい。
【００６０】
例えば、図１１に示すように、再生制御部４０は、チャンネルＡのコンテンツに含まれる緊急地震速報の日時のシーンＳＣ１と、チャンネルＢに含まれる同じ日時のシーンＳＣ２とを再生すべきときに、それらシーンＳＣ１，ＳＣ２をディスプレイパネル１７の画面内の各表示領域１７ａ，１７ｂで同時に再生することで、シーンＳＣ１，ＳＣ２をユーザが確認する時間を短縮化できる。むろん、より多くのチャンネルのコンテンツ内の各シーンを再生すべきときも、このような同時再生をすることで、全てのシーンをユーザが確認するまでに要する時間を短縮化できる。
【００６１】
（その他）
本発明が想定する「所定の緊急事態を知らせるための緊急速報」は、緊急地震速報に限定されない。例えば、津波、台風（暴風）、大雨、河川の氾濫、自然火災、といった様々な自然災害の危険性や避難勧告等を知らせるための情報も、緊急速報も含まれる。また、自然災害以外にも、天気、大気汚染、犯罪者の逃亡、その他、国民や住民に広く緊急的に知らせる必要性が高い情報も、緊急速報に含まれる。
【００６２】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００６３】
１０…録画再生装置、１１…チューナ、１１ａ１〜１１ａ３…地デジチューナ、１１ｂ１，１１ｂ２…ＢＳチューナ、１１ｃ１，１１ｃ２…ＣＳチューナ、１２…デマルチプレクサ、１２ａ…ＲＯＭ、１２ｂ…ＣＰＵ、１２ｃ…ＲＡＭ、１２ｄ…メモリー、１３…マルチプレクサ、１４…ＨＤＤ、１４Ａ…緊急速報日時データ、１５…デコーダ、１６…ドライバ、１７…ディスプレイパネル、１８…アンプ、１９…スピーカ、３０…録画制御部、４０…再生制御部
【図１】
2015226125.tif 000003
【図２】
2015226125.tif 000004
【図３】
2015226125.tif 000005
【図４】
2015226125.tif 000006
【図５】
2015226125.tif 000007
【図６】
2015226125.tif 000008
【図７】
2015226125.tif 000009
【図８】
2015226125.tif 000010
【図９】
2015226125.tif 000011
【図１０】
2015226125.tif 000012
【図１１】
2015226125.tif 000013